(57)【要約】【課題】ファクシミリ信号を高品質で記憶可能な通信装置及びその制御方法、並びにプログラムを提供する。【解決手段】画像通信装置１０１は、ファクシミリ通信における相手側装置に送信するためにモデム処理部が変調したデジタル信号をアナログ信号に変換することなく記憶部に記憶し、ファクシミリ通信における相手側装置から受信した信号をモデム処理部が復調したデジタル信号を記憶部に記憶する（ステップＳ５１１）。【選択図】図６
2015192323.tif 000002
【特許請求の範囲】
【請求項１】
ファクシミリ通信を行うためのモデム処理部を備えた通信装置であって、
前記ファクシミリ通信における相手側装置に送信するために前記モデム処理部が変調したデジタル信号をアナログ信号に変換することなく記憶部に記憶する変調デジタル信号記憶手段と、
前記ファクシミリ通信における相手側装置から受信した信号を前記モデム処理部が復調したデジタル信号を前記記憶部に記憶する復調デジタル信号記憶手段とを備えたことを特徴とする通信装置。
【請求項２】
前記ファクシミリ通信は、ＰＳＴＮを介して行われるファクシミリ通信であり、
前記変調デジタル信号記憶手段により記憶されるデジタル信号は、Ｄ／Ａ変換されて前記ＰＳＴＮに送信される信号であり、
前記復調デジタル信号記憶手段により記憶されるデジタル信号は、前記ＰＳＴＮから受信したアナログ信号をＡ／Ｄ変換した信号であることを特徴とする請求項１記載の通信装置。
【請求項３】
前記ファクシミリ通信は、ネットワークを介して行われるＶｏＩＰみなし音声によるファクシミリ通信であり、
前記変調デジタル信号記憶手段により記憶されるデジタル信号は、ＶｏＩＰみなし音声信号として前記ネットワークに送信される信号であり、
前記復調デジタル信号記憶手段により記憶されるデジタル信号は、前記ネットワークから受信したＶｏＩＰみなし音声信号であることを特徴とする請求項１記載の通信装置。
【請求項４】
前記変調デジタル信号記憶手段により記憶されるデジタル信号、及び前記復調デジタル信号記憶手段により記憶されるデジタル信号のフォーマットは、リニアＰＣＭ、Ｇ．７１１  Ａ−Ｌａｗ、及びＧ．７１１  μ−Ｌａｗのうちのいずれかのフォーマットであることを特徴とする請求項１乃至請求項３のいずれか１項に記載の通信装置。
【請求項５】
ファクシミリ通信を行うためのモデム処理部を備えた通信装置の制御方法であって、
前記ファクシミリ通信における相手側装置に送信するために前記モデム処理部が変調したデジタル信号をアナログ信号に変換することなく記憶部に記憶する変調デジタル信号記憶ステップと、
前記ファクシミリ通信における相手側装置から受信した信号を前記モデム処理部が復調したデジタル信号を前記記憶部に記憶する復調デジタル信号記憶ステップとを備えたことを特徴とする制御方法。
【請求項６】
ファクシミリ通信を行うためのモデム処理部を備えた通信装置の制御方法をコンピュータに実行させるためのプログラムであって、
前記制御方法は、
前記ファクシミリ通信における相手側装置に送信するために前記モデム処理部が変調したデジタル信号をアナログ信号に変換することなく記憶部に記憶する変調デジタル信号記憶ステップと、
前記ファクシミリ通信における相手側装置から受信した信号を前記モデム処理部が復調したデジタル信号を前記記憶部に記憶する復調デジタル信号記憶ステップとを備えたことを特徴とするプログラム。
【発明の詳細な説明】
【技術分野】
【０００１】
本発明は、通信装置及びその制御方法、並びにプログラムに関する。
【背景技術】
【０００２】
従来より、ファックス通信において発生した通信エラーなどの障害の原因を特定するために、ファクシミリ信号を記憶する技術がある。
【０００３】
例えば、回線交換式の公衆回線網のファクシミリ通信において、ファックスモデムの変復調処理を行った後に、公衆電話網を介して通信されるファクシミリ信号をアナログ信号からデジタル信号に変換して記憶する技術がある。
【０００４】
また、デジタル変調信号を用いる場合には、ファックスモデムから出力されるデジタル変調信号をＤ/Ａ変換してアナログ変調信号として公衆回線に送信し、公衆回線から受信したアナログ変調信号をＡ/Ｄ変換してデジタル変調信号としてファックスモデムに入力している。
【０００５】
このようなファックスモデムが介在するデジタル変調信号ではなく、公衆電話網を介して通信されるアナログ音声信号を録音することで記憶しておき、それを用いて障害発生時にファクシミリ信号の通信手順を解析し、障害の原因を特定する技術がある（例えば、特許文献１参照）。
【０００６】
近年は、従来の回線交換式の公衆回線網をＩＰ（Internet Protocol）技術をベースにしたネットワークに置き換え、ＬＡＮ（Local Area Network）または次世代ネットワーク（ＮＧＮ：Next Generation Network）でサービスを提供する技術が幅広く普及している。
【０００７】
これらＬＡＮまたはＮＧＮの通信機器との間には、仮想的なセッションが確立され、セッションが成立している間、サービスを提供するＳＩＰ（Session Initiation Protocol ）が普及し、利用されている。
【０００８】
このＳＩＰによりセッションを確立した通信機器において、ＶｏＩＰ（Voice Over IP）等のプロトコルを用いて、ＶｏＩＰみなし音声によるファクシミリ通信が行われている。
【０００９】
上述した従来技術において記憶されたデジタル音声信号は、ファックスモデムから出力された変調デジタル信号をＤ/Ａ変換し、一度アナログ信号に戻した後、再度音声ファイル生成部においてＡ／Ｄ変換を行い、変調デジタル信号にしている。
【００１０】
このように、デジタル変換を２度行っているため、音声信号の精度という点でノイズが増加する。
【先行技術文献】
【特許文献】
【００１１】
【特許文献１】特開２００６−３３２８８９号公報
【発明の概要】
【発明が解決しようとする課題】
【００１２】
こうした技術背景において、今後は公衆回線ではなく、ＶｏＩＰみなし音声によるファクシミリ通信が今後ますます普及していくと考えられている。
【００１３】
この場合はＶｏＩＰ通信が用いられるため、アナログ音声信号を公衆回線に出力する必要が無いことから、アナログ信号のファクシミリ信号を録音して記憶できないという課題がある。
【００１４】
本発明の目的は、ファクシミリ信号を高品質で記憶可能な通信装置及びその制御方法、並びにプログラムを提供することにある。
【課題を解決するための手段】
【００１５】
上記目的を達成するために、請求項１の通信装置は、ファクシミリ通信を行うためのモデム処理部を備えた通信装置であって、前記ファクシミリ通信における相手側装置に送信するために前記モデム処理部が変調したデジタル信号をアナログ信号に変換することなく記憶部に記憶する変調デジタル信号記憶手段と、前記ファクシミリ通信における相手側装置から受信した信号を前記モデム処理部が復調したデジタル信号を前記記憶部に記憶する復調デジタル信号記憶手段とを備えたことを特徴とする。
【発明の効果】
【００１６】
本発明によれば、ファクシミリ通信における相手側装置に送信するためにモデム処理部が変調したデジタル信号をアナログ信号に変換することなく記憶部に記憶し、ファクシミリ通信における相手側装置から受信した信号をモデム処理部が復調したデジタル信号を記憶部に記憶するので、ファクシミリ信号を高品質で記憶することができる。
【図面の簡単な説明】
【００１７】
【図１】本発明の実施の形態に係る画像通信装置を含む通信システムの概略構成を示す図である。
【図２】図１における画像通信装置の概略構成を示す図である。
【図３】図２における通信処理部の概略構成を示す図である。
【図４】図３におけるＰＣＭインタフェースにおけるタイミングチャートを示す図である。
【図５】Ｔ．３０通信におけるシーケンス図である。
【図６】図２におけるＣＰＵにより実行される信号記憶処理の手順を示すフローチャートである。
【図７】図１における画像通信装置の概略構成を示す図である。
【図８】図７におけるＶｏＩＰ処理部の概略構成を示す図である。
【図９】ＳＩＰセッション確立時の通信手順を示すシーケンス図である。
【図１０】図７におけるＣＰＵにより実行される信号記憶処理の手順を示すフローチャートである。
【図１１】音声標準フォーマットＷＡＶ形式を説明するための図である。
【発明を実施するための形態】
【００１８】
以下、本発明の実施の形態について図面を参照しながら詳述する。
【００１９】
図１は、本発明の実施の形態に係る通信装置としての画像通信装置を含む通信システム１の概略構成を示す図である。
【００２０】
図１において、通信システム１は、画像通信装置１０１，１０２，１０３，１０４、ＨＧＷ１０７、メディアＧＷ１０８、及びＳＩＰサーバ１０５で構成される。
【００２１】
このうち、画像通信装置１０１，１０２は公衆回線であるＰＳＴＮ１０９に接続されたＧ３アナログファクシミリ装置で、ＩＴＵ−Ｔ勧告Ｔ．３０のアナログファクシミリ手順によりファクシミリ通信を行なう。
【００２２】
また、画像通信装置１０１、１０２はＩＰ網であるＬＡＮ１１１にも接続されている。このＬＡＮ１１１には、サーバ機能を有し、画像通信装置１０１、１０２のデータ等を管理する画像入出力装置１１２がさらに接続されている。
【００２３】
画像通信装置１０３，１０４の各々は、ＨＧＷ１０６，１０７（ホームゲートウェイ）を介してＮＧＮ網１１０に接続されている。このＮＧＮ網１１０は、メディアＧＷ１０８を介してＰＳＴＮ１０９と接続されている。さらにＮＧＮ網１１０には、ＳＩＰサーバ１０５が接続されている。
【００２４】
このうち、ＳＩＰサーバ１０５は、ＩＰ電話サービス及びＩＰファクシミリ通信における呼接続処理を行なうため、電話番号とＩＰアドレスとの変換などを行うＳＩＰ（Session Initiation Protocol）サービスを提供する。
【００２５】
このＳＩＰサーバ１０５、及びＨＧＷ１０６，１０７は、ＩＴＵ−Ｔ勧告Ｔ．３８のデジタルファクシミリ手順によるファクシミリ通信、及びＩＴＵ−Ｔ勧告Ｔ．３０のデジタルファクシミリ手順によるＶｏＩＰみなし音声によるＴ．３０ファクシミリ通信を行なうインタフェース機器である。
【００２６】
また、メディアＧＷ１０８は回線業者やネットワーク業者により設置される機器である。メディアＧＷ１０８は、音声信号とＩＰパケットと信号変換を行なうとともに、ＰＳＴＮ１０９に接続された音声端末等の加入者端末やＳＩＰサーバ１０５に対する発呼を制御する。
【００２７】
これにより、ＰＳＴＮ１０９に接続された画像通信装置１０１，１０２とＮＧＮ網１１０に接続された画像通信装置１０３，１０４との間で、ＩＴＵ−Ｔ勧告Ｔ．３０のファクシミリ手順によるファクシミリ通信を行うことができる。
【００２８】
図２は、図１における画像通信装置１０１，１０２の概略構成を示す図である。ここでは説明を簡単にするために画像通信装置１０１を用いて説明する。
【００２９】
図２において、画像通信装置１０１は、ＣＰＵ２０１、ＲＯＭ２０２、ＲＡＭ２０３、スキャナインタフェース制御部２０４、スキャナ２０５、圧縮処理部２０６、通信処理部２０８、キー操作部２０９、パネル制御部２１０、オペレーションパネル２１１、プリンタインタフェース制御部２１２、プリンタ２１３、ＨＤＤ２１４、及びネットワークインタフェース制御部２１５で構成される。
【００３０】
ＣＰＵ２０１は、あるＲＯＭ２０２に記憶されたプログラムに従って画像通信装置１０１全体を制御する。さらに、ＣＰＵ２０１は、ＴＣＰ／ＩＰのプロトコル処理も行ない、画像データのＴＣＰ／ＩＰフレームへの組立はも行う。
【００３１】
ＲＯＭ２０２は、各種プログラムや各種データを記憶する。ＲＡＭ２０３は、プログラム実行時のワークメモリとして使用されると共に、送受信する画像データのバッファリングにも使用される。
【００３２】
スキャナ２０５は、原稿を光学的に読み取り、原稿画像を示す信号をスキャナインタフェース制御部２０４に出力する。スキャナインタフェース制御部２０４は、スキャナ２０５を制御するともに、スキャナ２０５から出力された信号をデジタルの画像データに変換し、画像データは、ＣＰＵ２０１の制御によりＲＡＭ２０３に記憶され、送信または印刷される。
【００３３】
圧縮処理部２０６は、ＭＨ、ＭＲ、ＭＭＲ、またはＪＢＩＧ方式の符号化や復号化を行う。また、圧縮処理部２０６は、画像データを送信するときに、画像データを符号化してデータを圧縮し、画像データを受信したときは、符号化されている画像データを復号する。
【００３４】
通信処理部２０８は、ＰＳＴＮ１０９を介してファクシミリ通信を行うために必要な変復調処理を行ったり、ファクシミリ通信信号をＰＣＭ信号に変換してＲＡＭ２０３に記憶するためにＰＣＭコーデック処理等を行う。
【００３５】
キー操作部２０９は、ダイヤルやファクシミリ送受信の操作ボタン等から構成され、ユーザからの操作指示が行われる。オペレーションパネル２１１は、ユーザに各種情報を表示したり、ユーザからの指示入力が行われる。パネル制御部２１０は、オペレーションパネル２１１を制御する。
【００３６】
プリンタ２１３は、紙などの記録媒体に画像を印刷する。プリンタインタフェース制御部２１２は、プリンタ２１３を制御するともに、ファクシミリ受信または他の方法で取得した画像データを印刷用ラスタデータに変換し、プリンタ２１３に出力する。
【００３７】
ＨＤＤ２１４は記憶部であり、各種プログラムや各種データを記憶する。例えば、印刷するための画像データやＰＣＭ信号などをＨＤＤ２１４は記憶する。
【００３８】
ネットワークインタフェース制御部２１５は、ＬＡＮ１１１に接続されるＬＡＮコントローラであり、ＣＳＭＡ／ＣＤ（Carrier Sense Multiple Access/Collision Detection）方式の手順を用いてデータの送受信を行なう。
【００３９】
例えば、ネットワークインタフェース制御部２１５は、例えば送信するデータにＭＡＣ（Media Access Control）フレームヘッダとＦＣＳ（Frame Check Sequence）などを付加して、ＣＳＭＡ／ＣＤ方式でデータを送信する。
【００４０】
バス２１６は、ＣＰＵ２０１、ＲＯＭ２０２、ＲＡＭ２０３、スキャナインタフェース制御部２０４、圧縮処理部２０６、通信処理部２０８、キー操作部２０９、パネル制御部２１０、プリンタインタフェース制御部２１２、ＨＤＤ２１４、及びネットワークインタフェース制御部２１５を接続するシステムバスである。
【００４１】
図３は、図２における通信処理部２０８の概略構成を示す図である。
【００４２】
図３において、通信処理部２０８は、インタフェース変換部３０１，３１１、モデム処理部３０２、ＳＤＡＡ３０５、音声入出力部３０９、及びＳＷ部３１０で構成される。
【００４３】
インタフェース変換部３０１は、バス２１６とモデム処理部３０２との間に接続され、データの送受信のためにインタフェースを適合させるための変換を行う。もう１つのインタフェース変換部３１１は、バス２１６とモデム処理部３０２との間に接続され、ＰＣＭインタフェース３１２に適合させてデータの送受信を行うための変換を行う。ＰＣＭインタフェース３１２は、同期シリアルの双方向転送を行うための汎用的なインタフェースである。
【００４４】
モデム処理部３０２は、ＤＳＰ処理部３０３、及びＰＣＭコーデック３０４で構成され、インタフェース変換部３０１を介して、圧縮処理部２０６との間で画像データの送受信を行う。
【００４５】
画像データの送信時には、圧縮処理部２０６で符号化された圧縮画像データがＤＳＰ処理部３０３に入力される。ＤＳＰ処理部３０３は、圧縮画像データに対してデジタル的な変調を行い、音声帯域のデジタル変調信号としてＳＤＡＡ３０５及びＰＣＭコーデック３０４に出力する。
【００４６】
画像データの受信時には、ＤＳＰ処理部３０３は、受信した音声帯域のデジタル変調信号に対してデジタル的な復調を行うことで、符号化された圧縮画像データを圧縮処理部２０６及びＰＣＭコーデック３０４に出力する。
【００４７】
ＰＣＭコーデック３０４は、デジタル変調信号を各々符号化し、ＰＣＭ信号としてＰＣＭインタフェース３１２を介してインタフェース変換部３１１に出力する。インタフェース変換部３１１に出力されたＰＣＭ信号はＲＡＭ２０３に記憶される。
【００４８】
ＳＤＡＡ３０５は、画像通信装置１０１とＰＳＴＮ１０９とのインタフェースとして機能する半導体ＮＣＵ（ネットワーク制御ユニット）であり、ＡＤＣ３０６、ＤＡＣ３０７、及びＨｙＢｒｉｄ３０８で構成される。
【００４９】
また、ＳＤＡＡ３０５は、ＰＳＴＮ１０９を介して相手側装置との間で通信を行う際に、回線の捕捉状態を制御する。
【００５０】
回線の捕捉状態の制御では、予め設定された直流的な回線電圧に対する回線電流特性であるＤＣ-ＶＩ特性に適合するように直流インピーダンスを調整する制御が行われる。
【００５１】
ＳＤＡＡ３０５は、データの送信時において、ＤＳＰ処理部３０３でデジタル的に変調したデジタル変調信号をＤＡＣ３０７でアナログ変調信号に変換し、ＨｙＢｒｉｄ３０８を介してＰＳＴＮ１０９に送出する。
【００５２】
また、ＳＤＡＡ３０５は、データの受信時において、ＰＳＴＮ１０９より受信したアナログ変調信号を、ＨｙＢｒｉｄ３０８を介してＡＤＣ３０６に入力し、ＡＤＣ３０６でデジタル変調信号に変換した後、ＤＳＰ処理部３０３に入力する。
【００５３】
ＰＳＴＮ１０９では、２線による全２重による送受信が行われ、ＡＤＣ３０６、ＤＡＣ３０７、及びＤＳＰ処理部３０３では、２線による送信と２線による受信の合計４線による送受信が行われる。
【００５４】
このためＨｙＢｒｉｄ３０８は、ＰＳＴＮ１０９に信号を送信するとともに、ＰＳＴＮ１０９の送受信信号より、送出した信号をキャンセルし、受信信号を分離する２線−４線変換を行う。
【００５５】
音声入出力部３０９は、ＳＷ部３１０に接続し、音声の入出力を行う電話やハンドセットで構成される。
【００５６】
ＳＷ部３１０は、音声入出力部３０９及びＰＳＴＮ１０９に接続するリレー回路であり、音声入出力部３０９とＰＳＴＮ１０９を繋いだ接続状態とするか、切断状態とするかの切り替え処理を行う。
【００５７】
例えば、音声入出力部３０９がＰＳＴＮ１０９を介して相手側装置との間で音声通話を行う場合、音声入出力部３０９とＰＳＴＮ１０９を繋いだ接続状態にするため、ＳＷ部３１０はＣＰＵ２０１の制御により切り替え制御を行い、ＳＤＡＡ３０５はＣＰＵ２０１の制御ににより回線の捕捉状態をオフする。
【００５８】
図４は、図３におけるＰＣＭインタフェース３１２におけるタイミングチャートを示す図である。
【００５９】
図４において、ＣＬＫはクロック信号、ＦＳＹＮＣは同期信号、ＳＤＯは出力データ，ＳＤＩは入力データをそれぞれ示している。
【００６０】
図４（Ａ）は、ＣＬＫ，ＦＳＹＮＣ，ＳＤＯ，ＳＤＩの４線の信号線を用いた例でのタイミングチャートを示す図である。
【００６１】
ＰＣＭインタフェースでは、ＰＣＭインタフェース間のいずれか一方がマスタとなり、他方がスレーブとなり、ＣＬＫ、ＦＳＹＮＣはマスタがスレーブに対して供給するタイミング信号であり、マスタがＰＣＭインタフェースの転送タイミングを決定している。
【００６２】
図４（Ａ）に示されるように、ＦＳＹＮＣの立ち上がりエッジから２つ目のＣＬＫの立下りエッジよりデータ信号が開始し、以後連続する８つのＳＤＩ、ＳＤＯが有効なデータ信号である。
【００６３】
またＦＳＹＮＣは、一定の周期で繰り返されるため、ＦＳＹＮＣの周期ごとに８つのＳＤＩと８つＳＤＯの転送が繰り返される。
【００６４】
例えば、ＤＳＰ処理部３０３で、１６ビットのデジタル信号を処理し、ＰＣＭコーデック３０４で１６ビットから８ビットへの符号化を行う場合、同期信号ＦＳＹＮＣが８ｋｈｚと仮定すると６４ｋｂｐｓの転送レートのＰＣＭ信号が出力される。
【００６５】
ＰＣＭコーデック３０４で１６ビットから８ビットへの符号化には、例えば、ＩＴＵ−Ｔ勧告Ｇ．７１１  Ａ−Ｌａｗ,μ−Ｌａｗ等が使用される。このように、本実施の形態において記憶されるデジタル信号のフォーマットは、リニアＰＣＭ、Ｇ．７１１  Ａ−Ｌａｗ、及びＧ．７１１  μ−Ｌａｗのうちのいずれかのフォーマットとなっている。
【００６６】
また、モデム処理部３０２は、ＰＣＭコーデック３０４で符号化を行わないで、ＤＳＰ処理部３０３で処理する１６ビットのデータのままのリニアなＰＣＭ信号として出力してもよい。この場合は同期信号ＦＳＹＮＣに同期して、１６個のＳＤＯが繰り返し出力される。
【００６７】
図４（Ｂ）は、ＣＬＫ，ＳＤＯ，ＳＤＩの３線の信号線を用いた例でのタイミングチャートを示す図である。
【００６８】
図４（Ａ）と同じく、ＰＣＭインタフェース間のいずれか一方がマスタとなり、他方がスレーブとなり、ＣＬＫはマスタがスレーブに対して供給するタイミング信号であり、マスタがＰＣＭインタフェースの転送タイミングを決定している。
【００６９】
図４（Ｂ）に示されるように、ＣＬＫが変化した最初の立ち上がりエッジからデータ信号が開始し、ＣＬＫが継続する区間の連続する８つのＳＤＩ、ＳＤＯが有効なデータ信号である。
【００７０】
またＣＬＫの継続する区間は、一定の周期で繰り返されるため、一定の周期ごとに８つのＳＤＩと８つＳＤＯの転送が繰り返される。
【００７１】
図４（Ｃ）は、２チャンネル分のデータ転送を行う場合のタイミングチャートを示す図である。
【００７２】
ここでの２チャンネルは、受信したデジタル変調信号を転送するチャンネルと、送信するデジタル変調信号を転送するチャンネルである。これらの送受信するデジタル変調信号をＰＣＭ信号に変換して、ＲＡＭ２０３に記憶する。
【００７３】
そのため、図４（Ｃ）に示されるように、送受信２チャンネルのデジタル変調信号の一方をデータであるＤＡ０〜ＤＡ７と、他方のデータであるＤＢ０〜ＤＢ７とを同期信号ＦＳＹＮＣに同期して時分割で転送する。
【００７４】
この場合、図４（Ｃ）に示されるように、ＰＣＭコーデック３０４で符号化された２チャンネルのデータが連続する１６ビットのデータとして出力される。
【００７５】
例えば６４ｋｂｐｓの転送レートで送信するＰＣＭ信号と６４ｋｂｐｓの転送レートで受信するＰＣＭ信号の各々が、時間軸を関連付けてＲＡＭ２０３に記憶される。
【００７６】
図４（Ｄ）は、双方向転送であるＰＣＭインタフェースにおいてＳＤＩをＳＤＯとして切り替えられる構成とした場合のタイミングチャートを示す図である。
【００７７】
図４（Ｄ）において、ＳＤＯ１，ＳＤＯ２は、送受信２チャンネルで転送されるデジタル変調信号の２つのデータを示している。このようにＳＤＩをＳＤＯとして切り替えられる場合には、ＳＤＯ１はＤＡ０〜ＤＡ７をＳＤＯ２はＤＢ０〜ＤＢ７は同期信号ＦＳＹＮＣに同期して転送される。
【００７８】
次に、ＰＳＴＮ１０９を用いたＴ．３０のアナログファクシミリ装置における通信手順について説明する。
【００７９】
図５は、Ｔ．３０通信におけるシーケンス図である。
通信手順は以下のとおりである。
１・送信側からダイヤルする
２・交換機からの呼出し
３・CNG：オートダイヤルのFAXであることを示す
４・応答として受信機側がオフフックする
５・CED：自動受信のFAXであることを示す
６・DIS：送信機に自機の機能をつたえる
７・DCS:相手にモードを指定して受信させる
８、１１・トレーニング：受信機のモデムの受信状態を調整するために送る
９・TCF：DCSで指定したモデムを使って送信
１０・CFR：TCFが正常に受信でき受信完了であることを伝える
１２・画像データ：画像を符号化した信号
１３・RTC:画像1ページの最後に送る
１４・EOP：受信機に送信が終わったことをしらせる
１５・MCF：画像が正常に受信できたことを知らせる
１６・DCN：相手に回線を切断するよう指示する
１７・送信機/受信機ともに回線を切断する
上記シーケンスは一般的なＴ．３０の通信手順であるので、特に本実施の形態に関連する手順１２について説明する。
【００８０】
手順１２に示される「画像データ：画像を符号化した信号」では、ＰＳＴＮ１０９を介して受信された画像データは、ＳＤＡＡ３０５のＡＤＣ３０６でアナログ信号からデジタル信号に変換され、デジタル変調信号としてモデム処理部３０２に出力される。
【００８１】
出力されたデジタル変調信号は、モデム処理部３０２のＤＳＰ処理部３０３で復調され、その後インタフェース変換部３０１を介して圧縮処理部２０６に出力されて、複合化処理が行われる。
【００８２】
上記手順１３〜１７の一連の処理が終了した後、受信された画像データがプリンタ２１３より印刷される。
【００８３】
また、例えば手順５〜１０での手順信号の送受信は、モデム処理部３０２によりＴ．３０の手順で制御されている。具体的には、受信した手順信号はデジタル変調信号としてモデム処理部３０２に出力されて復調され、送信する手順信号はモデム処理部３０２よりデジタル変調信号として出力される。
【００８４】
図６は、図２におけるＣＰＵ２０１により実行される信号記憶処理の手順を示すフローチャートである。
【００８５】
この図６の信号記憶処理は、画像通信装置１０１が実行する処理の手順を示しており、発呼側を画像通信装置１０２、着呼側を画像通信装置１０１としている。また、自動受信動作を行う場合を例にしている。ここでの自動受信動作は、着信信号が通話による音声信号か、またはファクシミリ信号かをＣＮＧ（Calling）信号の有無を検出することにより自動的に判別する動作である。
【００８６】
図６において、着信信号を検知すると（ステップＳ５０１でＹＥＳ）、画像通信装置１０２の発呼による呼接続要求が画像通信装置１０１へ送信される。これにより、ＣＰＵ２０１の制御のもと、画像通信装置１０２との呼接続を確立し、接続動作を開始する。
【００８７】
上述したように、図６の信号記憶処理では自動受信動作を行っているため、画像通信装置１０１は、ＣＰＵ２０１の制御によって、ＳＷ部３１０は音声入出力部３０９をＰＳＴＮ１０９から切り離し、ＳＤＡＡ３０５はＰＳＴＮ１０９との捕捉状態を制御して、通信信号をモデム処理部３０２に出力することで、モデム処理を選択する（ステップＳ５０２）。
【００８８】
次いで、モデム処理部３０２は受信している信号がファクシミリ信号か否か判別するために、ＣＮＧ信号の検出を試みる（ステップＳ５０３）。
【００８９】
ステップＳ５０３の判別の結果、モデム処理部３０２でＣＮＧ信号が検出されなかった場合には（ステップＳ５０４でＮＯ）、ＳＤＡＡ３０５はＰＳＴＮ１０９との捕捉制御を停止し、ＳＷ部３１０を切り替えることで、音声入出力部３０９をＰＳＴＮ１０９に接続する。こうして音声入出力部３０９による音声処理が選択され（ステップＳ５１２）、音声通話が行われ（ステップＳ５１３）、本処理を終了する。
【００９０】
一方、ステップＳ５０３の判別の結果、モデム処理部３０２でＣＮＧ信号が検出された場合には（ステップＳ５０４でＹＥＳ）、信号が通話による音声信号ではなく、ファクシミリ信号であることから、ファクシミリ信号を記憶するか否か判別する（ステップＳ５０５）。ファクシミリ信号を記憶するか否かは予め設定されており、その設定内容はＲＯＭ２０２またはＨＤＤ２１４に記憶されている。
【００９１】
ステップＳ５０５の判別の結果、ファクシミリ信号を記憶しない場合には（ステップＳ５０５でＮＯ）、図５で説明したＴ．３０の通信手順でファクシミリ信号を受信し（ステップＳ５１０）、本処理を終了する。
【００９２】
一方、ステップＳ５０５の判別の結果、ファクシミリ信号を記憶する場合には（ステップＳ５０５でＹＥＳ）、図５で説明したＴ．３０の通信手順でファクシミリ信号を受信するとともに（ステップＳ５０６）、図４で説明したようにファクシミリ信号をＰＣＭ信号としてＲＡＭ２０３に記憶する（ステップＳ５０７）。
【００９３】
次いで、ファクシミリ信号の受信が正常終了したか否か判別する（ステップＳ５０８）。ステップＳ５０８の判別の結果、正常終了した場合には（ステップＳ５０８でＹＥＳ）、ＲＡＭ２０３に記憶されたＰＣＭ信号を消去して（ステップＳ５０９）、本処理を終了する。
【００９４】
一方、ステップＳ５０８の判別の結果、正常終了しなかった場合には（ステップＳ５０８でＮＯ）、ＲＡＭ２０３に記憶されたＰＣＭ信号をＨＤＤ２１４に記憶して（ステップＳ５１１）、本処理を終了する。
【００９５】
このステップＳ５１１は、ファクシミリ通信における相手側装置に送信するためにモデム処理部３０２が変調したデジタル信号をアナログ信号に変換することなくＨＤＤ２１４に記憶する変調デジタル信号記憶手段と、相手側装置から受信した信号をモデム処理部３０２が復調したデジタル信号をＨＤＤ２１４に記憶する復調デジタル信号記憶手段に対応する。特にステップＳ５１１の場合、記憶されるデジタル信号は、Ｄ／Ａ変換されてＰＳＴＮ１０９に送信される信号、及びＰＳＴＮ１０９から受信したアナログ信号をＡ／Ｄ変換した信号である。
【００９６】
ファクシミリ信号をＨＤＤ２１４に記憶する場合には、送受信２チャンネルのデータが時間軸を関連付けて記憶できれば良く、２チャンネル別々の２つの領域に記憶しても、２チャンネルのデータを同期信号ＦＳＹＮＣに同期して、交互にインターリーブすることで１つの領域に記憶してもよい。
【００９７】
また、このファクシミリ信号をＰＣ（Personal Computer）等で利用可能な音声の標準フォーマットに変換してＨＤＤ２１４に記憶するようにしてもよい。
【００９８】
以上説明した実施の形態では、ＰＳＴＮ１０９を介したファクシミリ通信での構成や処理について説明したが、次にＮＧＮ網１１０を介したファクシミリ通信での構成や処理について画像通信装置１０３，１０４を用いて説明する。
【００９９】
従って、画像通信装置１０３，１０４は、ＩＴＵ−Ｔ勧告Ｔ．３８のデジタルファクシミリ手順によるファクシミリ通信、及びＩＴＵ−Ｔ勧告Ｔ．３０のデジタルファクシミリ手順によるＶＯＩＰみなし音声によるＴ．３０ファクシミリ通信を行なう。
【０１００】
図７は、図１における画像通信装置１０３，１０４の概略構成を示す図である。ここでは説明を簡単にするために画像通信装置１０３を用いて説明する。また、図２で説明した個所に関しては省略する。
【０１０１】
図７に示される構成は、図２の通信処理部２０８に代えて、ＣＯＤＥＣ６０１、ＶｏＩＰ処理部６０２、及びネットワークインタフェース制御部６０３が追加されている。そして、ＣＯＤＥＣ６０１、ＶｏＩＰ処理部６０２、及びネットワークインタフェース制御部６０３はバス２１６に接続されている。
【０１０２】
ＣＯＤＥＣ６０１は、Ｔ．３８デジタルファクシミリ信号を送受信するために必要な符号化、及び復号化方式をサポートする。
【０１０３】
ＶｏＩＰ処理部６０２は、音声信号、またはみなし音声として送受信されるファクシミリ信号のためのＶｏＩＰ方式の符号化、及び復号化方式をサポートする。
【０１０４】
ネットワークインタフェース制御部６０３は、ＨＧＷ１０６との間でＣＳＭＡ／ＣＤインターフェースを経由してデータ送受信を行なう。
【０１０５】
図８は、図７におけるＶｏＩＰ処理部６０２の概略構成を示す図である。
【０１０６】
図８において、ＶｏＩＰ処理部６０２は、インタフェース変換部３０１，７０５，７０６、モデム処理部７０１、音声処理部７０４、及び音声入出力部３０９で構成される。
【０１０７】
インタフェース変換部３０１は、バス２１６とモデム処理部７０１との間に接続され、データの送受信のためにインタフェースを適合させるための変換を行う。
【０１０８】
また、インタフェース変換部７０５は、バス２１６とモデム処理部７０１との間に接続され、インタフェース変換部７０６は、音声処理部７０４との間に接続され、それぞれＰＣＭインタフェース７０７，７０８に適合させてデータの送受信を行うため変換を行う。
【０１０９】
モデム処理部７０１は、ＤＳＰ処理部７０２、及びＰＣＭコーデック７０３で構成され、インタフェース変換部３０１を介して、圧縮処理部２０６との間で画像データの送受信を行う。
【０１１０】
画像データの送信時には、圧縮処理部２０６で符号化された圧縮画像データがＤＳＰ処理部７０２に入力さる。ＤＳＰ処理部７０２は、圧縮画像データに対してデジタル的な変調を行い、音声帯域のデジタル変調信号としてＰＣＭコーデック７０３に出力する。
【０１１１】
ＰＣＭコーデック７０３は、デジタル変調信号を符号化し、ＰＣＭ信号としてＰＣＭインタフェース７０７を介してインタフェース変換部７０５へ出力する。
【０１１２】
画像データの受信時には、ＰＣＭコーデック７０３は、インタフェース変換部７０５よりＰＣＭインタフェース７０７を介して入力されたＰＣＭ信号を復号化し、音声帯域のデジタル変調信号としてＤＳＰ処理部７０２に出力する。
【０１１３】
ＤＳＰ処理部７０２は、音声帯域のデジタル変調信号にデジタル的な復調を行った圧縮画像データを、インタフェース変換部３０１を介して圧縮処理部２０６へ出力する。
【０１１４】
音声入出力部３０９は、音声処理部７０４に接続し、音声の入出力を行う電話やハンドセットで構成される。
【０１１５】
音声処理部７０４が音声を送信する場合には、音声入出力部３０９からのアナログ音声信号を音声帯域のデジタル信号であるＰＣＭ信号に変換し、ＰＣＭインタフェース７０８を介してインタフェース変換部７０６へＰＣＭ信号を出力する。
【０１１６】
また、音声処理部７０４が音声を受信する場合には、インタフェース変換部７０６よりＰＣＭインタフェース７０８を介して入力された音声帯域のデジタル信号であるＰＣＭ信号をアナログ音声に変換して音声入出力部３０９へ出力する。
【０１１７】
これら音声処理部７０４やモデム処理部７０１の音声帯域のデジタル信号は、音声信号、または「みなし音声として送受信されるファクシミリ信号」のＰＣＭ信号である。
【０１１８】
なお、上述したようにＰＣＭインタフェースでは、ＰＣＭインタフェース間のいずれか一方がマスタとなり、他方がスレーブとなるのが一般的であるが、これに限定される必要はない。
【０１１９】
また、ＰＣＭインタフェース７０８は、ＰＣＭインタフェース７０７で用いるＣＬＫ、及びＦＳＹＮＣを、ＰＣＭインタフェース間の両方の部位に供給し、両方の部位をスレーブとして、データ信号の転送を行うことが可能である。
【０１２０】
この場合、ＰＣＭインタフェース７０７，７０８は、同一のタイミング信号で動作することから、仮に同一のデータ信号を転送する場合、同期しているため、特にタイミングを考慮せず転送可能となる。
【０１２１】
なお、ＰＣＭインタフェース３１２、７０７、７０８は、一般的な同期シリアルインタフェースであってもよい。例えば、ＦＳＹＮＣに代えてチップセレクトＣＳを有する同期シリアル転送や、時分割で複数のデータ転送を行うＴＤＭ（Time Division Multiplexing）の同期シリアル転送であってもよい。
【０１２２】
また、インタフェース変換部３１１、７０５、７０６はバス２１６ではなく、他のインタフェースを変換するものであってもよい。例えば、ＣＰＵ２０１の汎用インタフェースである非同期シリアル転送を行うＵＡＲＴ（Universal Asynchronous Receiver Transmitter）等の非同期シリアルインタフェースを変換するものであってもよい。
【０１２３】
次に、ＳＩＰセッション確立時の通信手順について説明する。
【０１２４】
図９は、ＳＩＰセッション確立時の通信手順を示すシーケンス図である。
【０１２５】
図９においては、画像通信装置１０４がまずＳＩＰ接続要求メッセージ（ＩＮＶＩＴＥ）を画像通信装置１０３に送信する例を示している。
【０１２６】
図９（Ａ）は、通話目的の場合に実行されるＳＩＰセッション確立時の通信手順を示すシーケンス図である。
【０１２７】
図９（Ａ）において、画像通信装置１０４は、画像通信装置１０３に対して、ＩＮＶＩＴＥメッセージを送信する（ステップＳ９０１）。ＩＮＶＩＴＥメッセージには、ＳＩＰセッションで利用したいメディア情報と受信ポート番号を記述したＳＤＰ（Session Description Protocol）が含まれている。
【０１２８】
ここでは、通話を目的として、ｍ＝ａｕｄｉｏ  ５００４  ＵＤＰと記述されているので、メディア種別ａｕｄｉｏをＵＤＰのポート番号５００４を利用してデータ通信を行うＳＩＰセッションを確立することを提案している。
【０１２９】
画像通信装置１０３は、自装置宛のＩＮＶＩＴＥメッセージを受信すると、ＩＮＶＩＴＥメッセージに含まれているオファーＳＤＰを精査し、対応可能なメディア情報が記述されていれば、２００  ＯＫメッセージを送信する（ステップＳ９０２）。
【０１３０】
２００  ＯＫには画像通信装置１０３が受け入れるメディア情報と受信ポート番号とが記述されたＳＤＰが含まれている。
【０１３１】
今の場合、ｍ＝ａｕｄｉｏ  ５００４  ＵＤＰと記述していることでメディア種別ａｕｄｉｏをＵＤＰのポート番号５００４を受信ポートとしてデータ通信を行うＳＩＰセッションを確立することに同意している。
【０１３２】
画像通信装置１０４は、２００  ＯＫを受信すると、２００  ＯＫメッセージを受信したことを示すＡＣＫメッセージを送信する（ステップＳ９０３）。
【０１３３】
図９（Ｂ）は、画像データ通信目的の場合に実行されるＳＩＰセッション確立時の通信手順を示すシーケンス図である。
【０１３４】
図９（Ｂ）において、画像通信装置１０４は、画像通信装置１０３に対して、ＩＮＶＩＴＥメッセージを送信する（ステップＳ９０４）。ここでは、画像通信を目的として、ｍ＝ｉｍａｇｅ  ９０００  ＴＣＰと記述されているので、メディア種別ｉｍａｇｅをＴＣＰのポート番号９０００を利用してデータ通信を行うＳＩＰセッションを確立することを提案している。
【０１３５】
画像通信装置１０３は、自装置宛のＩＮＶＩＴＥメッセージを受信すると、ＩＮＶＩＴＥメッセージに含まれているオファーＳＤＰを精査し、対応可能なメディア情報が記述されていれば、２００  ＯＫメッセージを送信する（ステップＳ９０５）。
【０１３６】
２００  ＯＫには画像通信装置１０３が受け入れるメディア情報と受信ポート番号を記述したＳＤＰが含まれている。
【０１３７】
今の場合、ｍ＝ｉｍａｇｅ  ９０００  ＴＣＰと記述されているので、メディア種別ｉｍａｇｅをＴＣＰのポート番号９０００を受信ポートとしてデータ通信を行うＳＩＰセッションを確立することに同意している。
【０１３８】
画像通信装置１０４は、２００  ＯＫを受信すると、２００  ＯＫメッセージを受信したことを示すＡＣＫメッセージを送信する（ステップＳ９０６）。
【０１３９】
次に、Ｔ．３０のデジタルファクシミリ通信について説明する。Ｔ．３０のデジタルファクシミリ通信は、Ｔ．３０のファクシミリ手順によりＶｏＩＰみなし音声によるファクシミリ通信であり、手順信号の送受信や画像信号の受信が行われる。
【０１４０】
デジタルファクシミリ通信手順は、図５で説明したアナログファクシミリ通信と同様の手順になっている。
【０１４１】
具体的に、手順１２の「画像データ：画像を符号化した信号」において、ネットワークインタフェース制御部６０３を介してＶｏＩＰ信号の画像部分を取り出し、ＲＡＭ２０３に記憶し、ＶｏＩＰ処理部６０２に出力する。
【０１４２】
ＶｏＩＰ処理部６０２は、受信した画像データをインタフェース変換部７０５でＰＣＭ信号に変換し、ＰＣＭインタフェース７０７を介してモデム処理部７０１に出力する。モデム処理部７０１は、ＰＣＭ信号をＰＣＭコーデック７０３で復号化し、音声帯域のデジタル変調信号としてＤＳＰ処理部７０２に出力する。
【０１４３】
ＤＳＰ処理部７０２は、デジタル的な復調を行い、圧縮画像データとしてインタフェース変換部３０１を介して圧縮処理部２０６へ出力する。
【０１４４】
上記手順１３〜１７の一連の処理が終了した後、受信された画像データがプリンタ２１３より印刷される。
【０１４５】
また、例えば手順５〜１０での手順信号の送受信は、モデム処理部７０１によりＴ．３０の手順で制御されている。具体的には、受信した手順信号はデジタル変調信号としてモデム処理部７０１に出力されて復調され、送信する手順信号はモデム処理部７０１よりデジタル変調信号として出力される。
【０１４６】
図１０は、図７におけるＣＰＵ２０１により実行される信号記憶処理の手順を示すフローチャートである。
【０１４７】
この図１０の信号記憶処理では、画像通信装置１０３が実行する処理の手順を示しており、発呼側を画像通信装置１０４、着呼側を画像通信装置１０３としている。また、上述した自動受信動作を行う場合を例にしている。
【０１４８】
図１０において、ＩＮＶＩＴＥを検知すると（ステップＳ８０１でＹＥＳ）、図９で説明したＳＩＰセッション確立手順を実行することで、ＳＩＰセッションを確立する（ステップＳ８０２）。
【０１４９】
次いで、確立されたＳＩＰセッションのメディア種別がＡＵＤＩＯか否か判別する（ステップＳ８０２）。
【０１５０】
ステップＳ８０２の判別の結果、メディア種別がＡＵＤＩＯではなくＩＭＡＧＥの場合には（ステップＳ８０３でＮＯ）、Ｔ．３８のデジタルファクシミリ手順によるファクシミリ通信を行い（ステップＳ８１３）、本処理を終了する。ステップＳ８１３のファクシミリ通信を具体的に説明すると、Ｔ．３８ファクシミリ信号は、ＣＰＵ２０１の制御のもと、ネットワークインタフェース制御部６０３を介してＲＡＭ２０３に記憶され、ＣＯＤＥＣ６０１で、復号化処理が行われる。
【０１５１】
その後、圧縮画像データとしてＨＤＤ２１４に記憶され、ＨＤＤ２１４から読みだされた圧縮画像データは、圧縮処理部２０６で伸長処理が行われた後、プリンタインタフェース制御部２１２を介してプリンタ２１３に出力されてＴ．３８のファクシミリ通信が終了する。
【０１５２】
一方、ステップＳ８０２の判別の結果、メディア種別がＡＵＤＩＯの場合には（ステップＳ８０３でＹＥＳ）、音声による通話、または、みなし音声として送受信されるＴ．３０ファクシミリ手順によるＶｏＩＰ方式のファクシミリ通信が可能となる。
【０１５３】
上述したように、図１０の信号記憶処理では自動受信動作を行っているため、画像通信装置１０３は、自動受信を開始し、受信信号を音声信号として通話接続することにより音声処理を選択する（ステップＳ８０４）。
【０１５４】
このため、受信信号はＣＰＵ２０１の制御のもと、ネットワークインタフェース制御部６０３を介してＲＡＭ２０３に記憶され、ＶｏＩＰ処理部６０２のインタフェース変換部７０６を介して音声処理部７０４に出力される。
【０１５５】
それとともに、受信信号がＶｏＩＰ処理部６０２のインタフェース変換部７０５を介してモデム処理部７０１に出力され、モデム処理部７０１は、ＣＮＧ信号の検出を試みる（ステップＳ８０５）。
【０１５６】
このように、ＣＮＧ信号を検出するために、音声処理部７０４とモデム処理部７０１の両方に受信信号が出力される。このとき、上述したように、ＰＣＭインタフェース７０７、７０８は、同一のタイミング信号で同期動作するため、同一の受信信号を転送する場合、タイミングを考慮せずモデム処理部７０１と音声処理部７０４に受信信号を転送できる。なお、ＶｏＩＰ処理部６０２は、音声処理部７０４とモデム処理部７０１の両方に受信信号を出力せずに、モデム処理部７０１のみに出力するようにしてもよい。
【０１５７】
ステップＳ８０５の判別の結果、モデム処理部７０１でＣＮＧ信号が検出されなかった場合には（ステップＳ８０５でＮＯ）、音声処理部７０４による音声処理を継続し、音声入出力部３０９による音声通話が行われ（ステップＳ８１６）、本処理を終了する。
【０１５８】
一方、ステップＳ８０５の判別の結果、モデム処理部３０２でＣＮＧ信号が検出された場合には（ステップＳ８０５でＹＥＳ）、みなし音声として送受信されるファクシミリ通信であることから、モデム処理部７０１によるモデム処理を選択する（ステップＳ８０７）。
【０１５９】
次いで、ファクシミリ信号を記憶するか否か判別する（ステップＳ８０８）。ファクシミリ信号を記憶するか否かは予め設定されており、その設定内容はＲＯＭ２０２またはＨＤＤ２１４に記憶されている。
【０１６０】
ステップＳ８０８の判別の結果、ファクシミリ信号を記憶しない場合には（ステップＳ８０８でＮＯ）、Ｔ．３０の通信手順でデジタルファクシミリ受信を行い（ステップＳ８１４）、本処理を終了する。
【０１６１】
一方、ステップＳ８０８の判別の結果、ファクシミリ信号を記憶する場合には（ステップＳ８０８でＹＥＳ）、Ｔ．３０の通信手順でデジタルファクシミリ受信を行うとともに（ステップＳ８０９）、ファクシミリ信号をＲＡＭ２０３に記憶する（ステップＳ８１０）。
【０１６２】
次いで、ファクシミリ信号の受信が正常終了したか否か判別する（ステップＳ８１１）。ステップＳ８１１の判別の結果、正常終了した場合には（ステップＳ８１１でＹＥＳ）、ＲＡＭ２０３に記憶されたＰＣＭ信号を消去して（ステップＳ８１２）、本処理を終了する。
【０１６３】
一方、ステップＳ８１１の判別の結果、正常終了しなかった場合には（ステップＳ８１１でＮＯ）、ＲＡＭ２０３に記憶されたＰＣＭ信号をＨＤＤ２１４に記憶して（ステップＳ８１５）、本処理を終了する。
【０１６４】
このステップＳ８１５は、ファクシミリ通信における相手側装置に送信するためにモデム処理部３０２が変調したデジタル信号をアナログ信号に変換することなくＨＤＤ２１４に記憶する変調デジタル信号記憶手段と、相手側装置から受信した信号をモデム処理部３０２が復調したデジタル信号をＨＤＤ２１４に記憶する復調デジタル信号記憶手段に対応する。特にステップＳ８１５の場合、記憶されるデジタル信号は、ＶｏＩＰみなし音声信号としてネットワークとしてのＮＧＮ網１１０に送信される信号、及びＮＧＮ網１１０から受信したＶｏＩＰみなし音声信号である。
【０１６５】
上述したステップＳ８１０での記憶方法は、図４で説明したとおりである。また、図７の信号記憶処理では、受信することでＲＡＭ２０３に記憶されたデジタル変調信号を、送信するデジタル変調信号とともに時間軸と関連付けて再度ＲＡＭ２０３に記憶しているが、もともとＲＡＭ２０３に記憶されているので、送信するデジタル変調信号のみ時間軸と関連付けてＲＡＭ２０３に記憶してもよい。
【０１６６】
なお、図６の信号記憶処理と同じく、ファクシミリ信号をＨＤＤ２１４に記憶する場合には、送受信２チャンネルのデータが時間軸を関連付けて記憶できれば良く、２チャンネル別々の２つの領域に記憶しても、２チャンネルのデータを同期信号ＦＳＹＮＣに同期して、交互にインターリーブすることで１つの領域に記憶してもよい。
【０１６７】
また、図６の信号記憶処理と同じく、ファクシミリ信号をＰＣ等で利用可能な音声の標準フォーマットに変換してＨＤＤ２１４に記憶するようにしてもよい。
【０１６８】
また、図７の信号記憶処理では、Ｓ８１６で音声通話を行う場合も、ステップＳ８１０に処理を進めて、その音声のＰＣＭ信号をＨＤＤ２１４に記憶することが可能であるが、本実施の形態では記憶していない。この理由は、記憶された音声通話を用いたとしても障害の原因を特定することはできないことと、セキュリティー上の問題が生じることがあるためである。
【０１６９】
上述したアナログファクシミリ通信で用いられるモデム処理部３０２と、ＶｏＩＰみなし音声によるファクシミリ通信で用いられるモデム処理部７０１とを比較すると、主にＰＣＭインタフェースは異なっているが、ＤＳＰ処理部３０３，７０２やＰＣＭコーデック３０４、７０３は同等である。
【０１７０】
具体的には、アナログファクシミリ通信では、送受信の２チャンネルのＰＣＭ信号がモデム処理部３０２により出力される。
【０１７１】
一方、デジタルファクシミリ通信では、モデム処理部７０１より送信されるＰＣＭ信号は１チャンネルで出力され、受信されたＰＣＭ信号は１チャンネルで入力される。
【０１７２】
従って、アナログファクシミリ通信とデジタルファクシミリ通信のいずれかに応じて、受信で用いられる１チャンネルを切り替え制御することによりモデム処理部３０２とモデム処理部７０１の共用化が可能である。
【０１７３】
上記説明において、ファクシミリ信号をＰＣ等で利用可能な音声の標準フォーマットに変換してＨＤＤ２１４に記憶してもよいことを記載したが、一例として音声標準フォーマットＷＡＶ形式について説明する。ＷＡＶ形式とは、ＷＩＮＤＯＷＳ（登録商標）標準の音声ファイル（ＷＡＶＥファイル）の形式のことである。
【０１７４】
図１１は、音声標準フォーマットＷＡＶ形式を説明するための図である。
【０１７５】
図１１（Ａ）は、ＷＡＶ形式の構造を示す図であり、図１１（Ｂ）は図１１（Ａ）におけるデータフィールド１００９の構造を示す図であり、図１１（Ｃ）はフォーマットＩＤと対応するフォーマットを示す図である。
【０１７６】
図１１（Ｃ）に示されるように、ＷＡＶ形式では、例えばＰＣＭ（無圧縮)方式、Ａ-Ｌａｗ、μ-Ｌａｗ方式、及びＡＤＰＣＭ方式などの圧縮方式に対応している。
【０１７７】
また、図１１（Ａ）に示されるように、ＷＡＶＥファイルは、リソース交換ファイル形式（Resource Interchange File Format:RIFF）で取り扱われ、このファイル形式では、図に示されるようにチャンク（かたまり）というブロックによってデータを取り扱う。
【０１７８】
図１１（Ａ）において、まずRIFFチャンク１００１について説明する。
【０１７９】
ＩＤフィールド１００２では、RIFFチャンクであることを示す識別子“RIFF”という文字をASCIIによって指定する。このフィールドのサイズは４[バイト]である。
【０１８０】
サイズフィールド１００３では、RIFFチャンクデータフィールド１００４のフィールドサイズをバイト単位で指定する。ただし、ファイル上には１６進数に変換した値を指定する。このフィールドのサイズは４[バイト]である。
【０１８１】
RIFFチャンクデータフィールド１００４は、RIFFチャンクのデータが書き込まれているフィールドである。ＰＣＭのディジタルオーディオデータを対象とするＷＡＶＥファイルでは、フォームタイプ１００５と２個のfmtチャンク１００６とdataチャンク１０１０を指定する。このフィールドのサイズは、サイズフィールドで指定されたバイト数である。
【０１８２】
フォームタイプ１００５では、ＷＡＶＥファイルであることを示す“ＷＡＶE”という文字をASCIIによって指定する。このフィールドのサイズは４[バイト]である。
【０１８３】
次に、fmtチャンク１００６について説明する。
【０１８４】
ＩＤフィールド１００７では、fmtチャンクであることを示す識別子“fmt”（４文字目はスペース）という文字をASCIIによって指定する。
【０１８５】
サイズフィールド１００８では、fmtチャンクのデータフィールドのサイズをバイト単位で指定する。ただし、ファイル上には１６進数に変換した値を指定する。
【０１８６】
データフィールド１００９は、図１１（Ｂ）に示されるように、「フォーマットＩＤ」から「ヘッダ拡張部」までである。
【０１８７】
図１１（Ｂ）において、フォーマットＩＤ１１０１では、図１１（Ｃ）示されるフォーマットＩＤのうち、dataチャンクに記録されているＷＡＶＥデータのフォーマットの種類を指定する。このフィールドのサイズは２[バイト]である。
【０１８８】
チャネル数１１０２では、dataチャンクに記録されているＷＡＶＥデータのチャネル数を指定する。モノラルの場合は１、ステレオの場合は２を指定する。このフィールドのサイズは２[バイト]である。
【０１８９】
サンプリング周波数１１０３では、dataチャンクに記録されているＷＡＶＥデータのサンプリング周波数を指定する。このフィールドのサイズは４[バイト]である。
【０１９０】
平均データ転送速度１１０４では、ＰＣＭディジタルオーディオを対象とするＷＡＶＥファイルの場合、サンプリング周波数[Hz]×チャネル数×サンプルあたりのビット数／８を１６進数に変換した値を指定する。このフィールドのサイズは４[バイト]である。
【０１９１】
ブロックサイズ１１０５では、dataチャンクに記録されているＷＡＶＥデータのブロックアライメントを指定する。再生ソフトはこのパラメータの整数倍のデータを一度に処理する。ブロックアライメントは、チャネル数×サンプルあたりのビット数／８である。このフィールドのサイズは２[バイト]である。
【０１９２】
サンプルあたりのビット数１１０６では、dataチャンクに記録されているＷＡＶＥデータが何ビットでサンプリングされたかを示す値を１６進数に変換して指定する。このフィールドのサイズは２[バイト]である。
【０１９３】
ヘッダ拡張サイズ１１０７では、ヘッダ拡張部が必要な場合に、このフィールドでそのバイト数を指定する。このフィールドのサイズは２[バイト]である。
【０１９４】
ヘッダ拡張部１１０８は、ヘッダ拡張部のデータである。このフィールドのサイズはヘッダサイズで指定されたバイト数である。
【０１９５】
次に、dataチャンク１０１０について説明する。
【０１９６】
ＩＤフィールド１０１１では、dataチャンクであることを示す識別子“data”という文字をASCIIによって指定する。このフィールドのサイズは４[バイト]である。
【０１９７】
サイズフィールド１０１２では、dataチャンクのデータフィールドのサイズをバイト単位で指定する。ただし、ファイル上には１６進数に変換した値を指定する。このフィールドのサイズは４[バイト]である。
【０１９８】
データフィールド１０１３には、ＷＡＶＥデータを記録する。このフィールドのサイズはサイズフィールドで指定されたバイト数である。
【０１９９】
また、Fmtチャンクの「チャネル数」「サンプルあたりのビット数」と「dataチャンクのデータフォーマット」との関係は次のとおりである。
【０２００】
チャネル数＝1、サンプルあたりのビット数＝8の場合のデータフォーマットは、8ビットで符号化したデータが順番に書き込まれるものとなる。
【０２０１】
チャネル数＝2、サンプルあたりのビット数＝8の場合のデータフォーマットは、8ビットで符号化したデータが、左チャネル、右チャネルの順番に書き込まれるものとなる。データフィールドの最初のデータは必ず左チャネルである。
【０２０２】
チャネル数＝1、サンプルあたりのビット数＝16の場合のデータフォーマットは、16ビットで符号化したデータが、下位8［ビット］（下位バイト）、上位8「ビット」（上位バイト）の順番でリトル・エンディアン(little-endian)で書き込まれるものとなる。
【０２０３】
このようにして、ファクシミリ信号をＰＣ等で利用可能な音声の標準フォーマットに変換し、記憶することが可能である。なお、記憶する際、ファクシミリ信号を、例えば送信機から受信機へ供給する通信信号と受信機から送信機へ供給する通信信号をモノラルなＰＣＭ信号として、１チャンネルのデータとして記憶してもよい。また、送信機から受信機へ供給する通信信号と受信機から送信機へ供給する通信信号をステレオのＰＣＭ信号として２チャンネルとして記憶してもよい。
【０２０４】
さらに、本実施の形態では、自動受信動作を例に説明したが、自動受信動作以外の受信や、ファクシミリ画像の送信であってもファクシミリ通信をＰＣＭ信号として記憶できる。
【０２０５】
また、本実施の形態では、ＰＣＭ信号として時間軸と関連付けて記憶されたファクシミリ信号は、例えば通信エラーなどの障害時に、通信手順や画像信号が解析されることで、障害の原因を特定することに利用される。
【０２０６】
従って、図５のＴ．３０通信のシーケンスにおいて、いずれのタイミングでファクシミリ信号を記憶し、いずれのタイミングで終了するかは任意で定めることができる。例えば、ＣＮＧ以降のシーケンスにおいて、障害の原因を特定するために最低限必要な区間のみ記憶するようにしてもよい。特定の区間のみ記憶する場合は、ＨＤＤ２１４の不揮発メモリの記憶容量が削減できる。
【０２０７】
また、本発明においては、ファクシミリ信号をＰＣＭ信号として時間軸を関連付けて記憶したが、ファクシミリ信号として送受信した画像情報をこれらに関連付けて記憶してもよい。
【０２０８】
なお、上記画像情報とは、送信時の場合は、送信時に圧縮処理部２０６で圧縮した圧縮画像データであり、受信時の場合は、途中まで受信できた画像データを含み、受信したデジタル変調信号をＤＳＰ処理部３０３，７０２で復調することにより得られた圧縮画像データである。
【０２０９】
このように、本実施の形態によれば、公衆回線網のファクシミリ通信やネットワークを介したＶｏＩＰみなし音声によるファクシミリ通信において、ファクシミリ通信の通信信号を品質よく、デジタル音声信号として記憶できるという効果がある。
【０２１０】
しかも一般的な標準フォーマットで記憶できるため、ファクシミリ装置の外部で容易に前記デジタル音声信号を利用できるという効果がある。
【０２１１】
以上説明したように、本実施の形態によれば、ファクシミリ通信における相手側装置に送信するためにモデム処理部が変調したデジタル信号をアナログ信号に変換することなく記憶部に記憶し、ファクシミリ通信における相手側装置から受信した信号をモデム処理部が復調したデジタル信号を記憶部に記憶するので（ステップＳ５１１、ステップＳ８１５）、ファクシミリ信号を高品質で記憶することができる。
【０２１２】
（他の実施の形態）
本発明は、以下の処理を実行することによっても実現される。即ち、上述した実施形態の機能を実現するソフトウェア（プログラム）をネットワークまたは各種記憶媒体を介してシステムまたは装置に供給し、そのシステムまたは装置のコンピュータ（またはＣＰＵやＭＰＵ等）がプログラムコードを読み出して実行する処理である。この場合、そのプログラム、及び該プログラムを記憶した記憶媒体は本発明を構成することになる。
【符号の説明】
【０２１３】
１  通信システム
１０１，１０２，１０３，１０４  画像通信装置
１０９  ＰＳＴＮ
１１０  ＮＧＮ網
２０１  ＣＰＵ
２０２  ＲＯＭ
２０３  ＲＡＭ
２０６  圧縮処理部
２０８  通信処理部
２１４  ＨＤＤ
２１５，６０３  ネットワークインタフェース制御部
３０１，３１１，７０５，７０６  インタフェース変換部
３０２，７０１  モデム処理部
３０３，７０２  ＤＳＰ処理部
３０４，７０３  ＰＣＭコーデック
３０５  ＳＤＡＡ
３０９  音声入出力部
６０１  ＣＯＤＥＣ
６０２  ＶｏＩＰ処理部
７０４  音声処理部
【図１】
2015192323.tif 000003
【図２】
2015192323.tif 000004
【図３】
2015192323.tif 000005
【図４】
2015192323.tif 000006
【図５】
2015192323.tif 000007
【図６】
2015192323.tif 000008
【図７】
2015192323.tif 000009
【図８】
2015192323.tif 000010
【図９】
2015192323.tif 000011
【図１０】
2015192323.tif 000012
【図１１】
2015192323.tif 000013